(57)【要約】【課題】事前作業を伴うことなく、相互に接続した一方の情報処理装置から他方の情報処理装置に情報の転送を開始することのできる情報処理装置を提供する。【解決手段】デジタルカメラとパソコンとを接続すると（ＳＡ１）、パソコンはデジタルカメラの接続を検出して、検出パルスを出力する（ＳＡ２）。すると、デジタルカメラは、この検出パルスに応答して、ＡＣＫ（識別情報）を送信し（ＳＡ３）、パソコンはこのＡＣＫを受信して、ソフト送信要求を送信する（ＳＡ４）。すると、デジタルカメラは、要求されたソフトを読み出し（ＳＡ５）、この読み出したソフトをパソコンに送信し（ＳＡ６）、パソコンはこれを受信してインストールする（ＳＡ７）。したがって、単にデジタルカメラをパソコンに接続させる極めて簡単な作業により煩わしさを伴うことなく、インターフェースソフト等をパソコンにインストールすることができる。【選択図】    図４
2005339575.tif 000002
【特許請求の範囲】
【請求項１】
他の情報処理装置との情報転送のためのインターフェースソフトを少なくとも記憶したインターフェースソフト記憶手段と、
前記他の情報処理装置との接続を検出する検出手段と、
この検出手段により接続したことが検出されると、前記インターフェースソフト記憶手段に記憶されているインターフェースソフトを前記他の情報処理装置に送信する送信手段と
を有することを特徴とする情報処理装置。
【請求項２】
他の情報処理装置との情報転送のためのインターフェースソフトを少なくとも記憶するインターフェースソフト記憶手段と、
前記他の情報処理装置からのソフト送信要求を受信する受信手段と、
この受信手段によりソフト送信要求を受信すると、前記インターフェースソフト記憶手段に記憶されているインターフェースソフトを前記他の情報処理装置に送信する送信手段と
を有することを特徴とする情報処理装置。
【請求項３】
被写体画像を取り込む撮像手段と、この撮像手段により取り込まれた画像を記憶するデジタル記憶媒体とを更に有し、
前記インターフェースソフト記憶手段は、前記デジタル記憶媒体に記憶された画像を前記他の情報処理装置に転送するたのインターフェースソフトを記憶していること
を特徴とする請求項１又は２記載の情報処理装置。
【請求項４】
前記インターフェースソフト記憶手段は、前記デジタル記憶媒体と共用されることを特徴とする請求項３記載の情報処理装置。
【請求項５】
前記送信手段により、前記インターフェースソフトが送信された後に、前記デジタル記憶媒体に前記画像を上書きすることを特徴とする請求項３記載の情報処理装置。
【請求項６】
前記送信手段は、前記インターフェースソフトを送信する前に当該他の処理装置の識別情報を受信する識別情報受信手段を有し、この識別情報受信手段により受信した他の情報処理装置の識別情報に対応したインターフェースソフトを送信することを特徴とする請求項１記載の情報処理装置。
【請求項７】
前記送信手段は、前記インターフェースソフトを送信する前に当該情報処理装置の識別情報を送信する識別情報送信手段を有し、この識別情報の送信に応答して前記他の情報処理装置から送られてきたソフト送信要求に基づいて、前記インターフェースソフトを送信することを特徴とする請求項２記載の情報処理装置。
【請求項８】
他の情報処理装置に接続される情報処理装置において、
当該情報処理装置の識別情報を記憶する識別情報記憶手段と、
この識別情報記憶手段に記憶されている識別情報を前記他の情報処理装置に送信する送信手段と
を有することを特徴とする情報処理装置。
【請求項９】
被写体画像を取り込む撮像手段と、この撮像手段により取り込まれた画像を記憶するデジタル記憶媒体とを更に有することを特徴とする請求項８記載の情報処理装置。
【請求項１０】
他の情報処理装置が接続される情報処理装置において、
前記他の情報処理装置の識別情報に各々対応する複数のインターフェースソフトを記憶したインターフェースソフト記憶手段と、
接続された前記他の情報処理装置の送信手段から送られてきた識別情報を受信する受信手段と、
この受信手段により受信した識別情報に対応するインターフェースソフトを前記インターフェースソフト記憶手段から検索してインストールするインストール手段と
を有することを特徴とする情報処理装置。
【発明の詳細な説明】
【技術分野】
【０００１】
本発明は、デジタルカメラ等の情報処理装置及びこの情報処理装置が接続されるパソコン等の情報処理装置に関する。
【背景技術】
【０００２】
現在、撮像装置により撮像した画像を半導体メモリあるいは磁気メモリ等の記憶媒体に記憶するデジタルカメラが普及している。このデジタルカメラにおいて、記憶媒体に記憶された画像は、接続されたパソコン等に転送されて、パソコンで画像処理されあるいはアルバム保存される。
【発明の開示】
【発明が解決しようとする課題】
【０００３】
しかし、従来のデジタルカメラでは、このパソコン等に画像を転送するためのインターフェースソフト（アルバムソフト等に含まれている場合が多い）をフロッピー（登録商標）等の別の記憶媒体に記憶しておき、そのインターフェースソフトを予めパソコンにインストールして、その後にデジタルカメラから画像の転送しなければない。したがって、撮像した画像の転送を行うに際しては、予め記憶インターフェースソフトをインストールする事前作業を強いられることとなり、非常に煩わしいという問題があった。
【０００４】
本発明は、このような従来の問題に鑑みてなされたものであり、事前作業を伴うことなく、相互に接続した一方の情報処理装置から他方の情報処理装置に情報の転送を開始することのできる情報処理装置を提供することを目的とするものである。
【課題を解決するための手段】
【０００５】
前記課題を解決するために請求項１記載の情報処理装置あっては、他の情報処理装置との情報転送のためのインターフェースソフトを少なくとも記憶したインターフェースソフト記憶手段と、前記他の情報処理装置との接続を検出する検出手段と、この検出手段により接続したことが検出されると、前記インターフェースソフト記憶手段に記憶されているインターフェースソフトを前記他の情報処理装置に送信する送信手段とを有している。したがって、この情報処理装置を他の情報処理装置に接続し、この接続が検出手段により検出されると、送信手段によりインターフェースソフトが当該情報処理装置から、接続された他の情報処理装置に送信される。したがって、当該情報処理装置から他の情報処理装置に情報を転送する際、該他の情報処理装置にインターフェースソフトが記憶されているフロッピー（登録商標）等をセットする等の作業を行う必要がない。
【０００６】
また、請求項２記載の情報処理装置にあっては、他の情報処理装置との情報転送のためのインターフェースソフトを少なくとも記憶するインターフェースソフト記憶手段と、前記他の情報処理装置からのソフト送信要求を受信する受信手段と、この受信手段によりソフト送信要求を受信すると、前記インターフェースソフト記憶手段に記憶されているインターフェースソフトを前記他の情報処理装置に送信する送信手段とを有している。したがって、この情報処理装置が受信手段により、他の情報処理装置からのソフト送信要求を受信すると、送信手段によりインターフェースソフトが当該情報処理装置から、他の情報処理装置に送信される。したがって、当該情報処理装置から他の情報処理装置に情報を転送する際、該他の情報処理装置にインターフェースソフトが記憶されているフロッピー（登録商標）等をセットする等の作業を行う必要がない。
【０００７】
また、請求項３記載の情報処理装置にあっては、被写体画像を取り込む撮像手段と、この撮像手段により取り込まれた画像を記憶するデジタル記憶媒体とを更に有し、前記インターフェースソフト記憶手段は、前記デジタル記憶媒体に記憶された画像を前記他の情報処理装置に転送するたのインターフェースソフトを記憶している。つまり、この情報処理装置は、撮像手段とこの撮像手段により取り込まれた画像を記憶するデジタル記憶媒体とを有するデジタルカメラであり、このデジタルカメラが、パソコン等の他の情報処理装置に接続されると、送信手段により、画像を前記他の情報処理装置に転送するたのインターフェースソフトがデジタルカメラから、接続された他の情報処理装置に送信される。
【０００８】
また、請求項４記載の情報処理装置にあっては、前記インターフェースソフト記憶手段は、前記デジタル記憶媒体と共用される。したがって、デジタルカメラにおいて、インターフェースソフトを記憶するための手段を別途設ける必要はない。
【０００９】
また、請求項５記載の情報処理装置にあっては、前記送信手段により、前記インターフェースソフトが送信された後に、前記デジタル記憶媒体に前記画像を上書きする。したがって、インターフェースソフトを接続された他の情報記憶媒体に送信した後は、デジタル記憶媒体の該インターフェースソフトが記憶されていた領域が、撮像手段により取り込まれた画像を記憶するための領域として有効利用される。
【００１０】
また、請求項６記載の情報処理装置にあっては、前記送信手段は、前記インターフェースソフトを送信する前に当該他の処理装置の識別情報を受信する識別情報受信手段を有し、この識別情報受信手段により受信した他の情報処理装置の識別情報に対応したインターフェースソフトを送信する。したがって、送受信する情報処理装置の種別に応じたインターフェースソフトが、一方の情報処理装置から他方の情報処理装置に送信される。
【００１１】
また、請求項７記載の情報処理装置にあっては、前記送信手段は、前記インターフェースソフトを送信する前に当該情報処理装置の識別情報を送信する識別情報送信手段を有し、この識別情報の送信に応答して前記他の情報処理装置から送られてきたソフト送信要求に基づいて、前記インターフェースソフトを送信する。したがって、相互に接続される情報処理装置の種別に応じたインターフェースソフトが、一方の情報処理装置から他方の情報処理装置に送信される。
【００１２】
一方、請求項８記載の発明にあっては、他の情報処理装置に接続される情報処理装置において、当該情報処理装置の識別情報を記憶する識別情報記憶手段と、この識別情報記憶手段に記憶されている識別情報を前記他の情報処理装置に送信する送信手段とを有する。したがって、当該情報処理装置を他の情報処理装置に接続すると、当該情報処理装置の識別情報が他の情報処理装置に送信される。
【００１３】
また、請求項９記載の情報処理装置にあっては、被写体画像を取り込む撮像手段と、この撮像手段により取り込まれた画像を記憶するデジタル記憶媒体とを更に有する。つまり、この情報処理装置は、デジタルカメラであり、このデジタルカメラを他の情報処理装置に接続すると、当該デジタルカメラの識別情報が他の情報処理装置に送信される。
【００１４】
また、請求項１０記載の発明にあっては、他の情報処理装置が接続される情報処理装置において、前記他の情報処理装置の識別情報に各々対応する複数のインターフェースソフトを記憶したインターフェースソフト記憶手段と、接続された前記他の情報処理装置の送信手段から送られてきた識別情報を受信する受信手段と、この受信手段により受信した識別情報に対応するインターフェースソフトを前記インターフェースソフト記憶手段から検索してインストールするインストール手段とを有する。
【００１５】
したがって、前記請求項８記載の情報処理装置又は請求項９記載の情報処理装置（デジタルカメラ）が接続され、これら情報処理装置の送信手段から識別情報が送られてくると、この識別情報を受信手段が受信する。すると、インストール手段は、インターフェースソフト記憶手段から識別情報に対応するインターフェースソフトを検索してインストールする。したがって、接続された情報処理装置（デジタルカメラ）の種別に応じて適切なインターフェースソフトがインストールされる。
【発明の効果】
【００１６】
以上説明したように本発明によれば、当該情報処理装置から他の情報処理装置に情報を転送する際、該他の情報処理装置にインターフェースソフトをインストールする事前作業が不要となり、この事前作業を必要とすることに起因する煩わしさを解消することができる。また、インターフェースソフトを記憶させておくためのフロッピー（登録商標）ディスク等の個別の記憶媒体を不要にして、該個別の記憶媒体を用いることに起因するコストを削減することもできる。
【００１７】
また、画像を記憶するデジタル記憶媒体を有するデジタルカメラにおいて、インターフェースソフト記憶手段がデジタル記憶媒体と共用されることにより、インターフェースソフトを記憶するための手段を別途設ける必要はなく、低コストにて実施化が可能となる。また、インターフェースソフトが接続相手の情報処理装置に送信された後に、デジタル記憶媒体に画像を上書きすることにより、画像を記憶するための領域を減少させることなく、インターフェースソフトの記憶が可能となる。さらに、接続された相手機器からの識別情報を受信して、この識別情報に対応するインターフェースソフトを検索してインストールすることにより、接続された情報処理装置（デジタルカメラ）の種別に応じて適切なインターフェースソフトのインストールが可能となる。
【発明を実施するための最良の形態】
【００１８】
以下、本発明の一実施の形態を図に従って説明する。図１に示すように、この実施の形態は、本発明を情報処理装置としてのデジタルカメラ２１に適用したものである。このデジタルカメラ２１において、ＣＣＤ１は光学系により結像され被写体の映像信号を電気信号に変換して出力し、アンプ２はこの電気信号を増幅する。Ａ／Ｄコンバータ３は、この増幅されたアナログ信号をデジタル信号に変換してＴＧ（Timming Generater）４に入力する。このＴＧ４は、ＣＣＤ１を駆動する駆動回路（Driver）５を制御するタイミング信号を発生し、駆動回路５は、ＴＧ４からタイミング信号に基づいてＣＣＤ１を駆動する。圧縮／伸張部６は、ＴＧ４を介して取り込んだデジタル映像信号を符号化／復合化により圧縮／伸張処理する。ＳＧ（Signal Generater）７は、デジタル映像信号に同期信号等を付加して、デジタルビデオ信号を作成する。この作成されたデジタルビデオ信号は、ＶＲＡＭ８に記憶されるとともに、Ｄ／Ａコンバータ９、及びアンプ１０を介して、ビデオ出力端子１１とＬＣＤ（Liquid Crystal Display）１２に与えられ、ＬＣＤ１２は入力されたアナログビデオ信号に基づいて液晶を駆動して映像を表示する。
【００１９】
キー入力部１３には、電源のオン・オフ時に操作される電源キー、画像データを後述するフラッシュメモリ１８に記憶させる際に操作される取り込みキー、録画モード（記憶モード）から再生モードへの切り替え及び再生モードから録画モードへの切り替えを行う際に操作されるモード切り替えキー、フラッシュメモリ１８に記憶されている画像データに基づく画像を再生する際に操作される再生キー、フラッシュメモリ１８に記憶されている画像データを他の情報処理装置に転送する際に操作される転送キー等の各種キーが設けられている。
【００２０】
ＣＰＵ１４は、これらキー入力部１３から入力されるキー操作情報とＲＯＭ１５内に格納されているプログラムに基づき動作し、ＲＡＭ１６をワークエリアとして使用しつつ、このデジタルカメラ２１において必要な全ての処理を実行するとともに各部を制御する。ＤＲＡＭ１７は、ＣＰＵ１４の指示により取り込んだデジタル映像信号を一時記憶するメモリである。Ｉ／Ｏポート１９は、シリアル信号に変換された映像信号等を入出力するインターフェースであり、シリアルＩ／Ｏ端子２０が接続されている。
【００２１】
フラッシュメモリ１８は本実施の形態におけるデジタル記憶媒体であって、図２に示すように、ヘッダ情報記領域１８ａ、画像情報記憶領域１８ｂ、メモリ管理情報記憶領域１８ｃが設けられている。ヘッダ情報記領域１８ａには、このフラッシュメモリ１８に設けられている各領域の属性等に関する情報が記憶されている。画像情報記憶領域１８ｂには、例えば１００個のエリアが設けられており、各エリアにはこのデジタルカメラ２１の使用に伴って圧縮された画像データが記憶される。しかし、この画像データが記憶される前の状態においては、この画像データをＰＣ(Personal Computer)等の他の情報処理装置に転送する場合に該他の情報処理装置が必要とするインターフェースソフトが少なくとも記憶されているとともに、さらにはアルバムソフト等の前記他の情報処理装置が画像処理に必要とするソフトが記憶されている。また、メモリ管理情報記憶領域１８ｃには、画像情報記憶領域１８ｂに設けられている各エリアの管理情報が記憶される。
【００２２】
このデジタルカメラ２１が接続されるＰＣ２２は、図３に示すように、Ｉ／Ｏ端子２３を備えたＩ／Ｏポート２４、ＣＰＵ２５、表示部２６、キー入力部２７、ワーク用のＲＡＭ２８、プログラムを格納したＲＯＭ２９、及びＩ／Ｏポート２４を介して取り込んだインターフェースソフト等を格納するハードディスク３０等を有して構成される。
【００２３】
以上の構成にかかる本実施の形態において、デジタルカメラ２１とＰＣ２２のＣＰＵ１４，２５は、各々ＲＯＭ１５，２９に格納されているプログラムに従って動作する。すなわち、図４に示すように、デジタルカメラ２１のＩ／Ｏ端子２０をＰＣ２２のＩ／Ｏ端子２３に接続して（ＳＡ１）、ＰＣ２２のＣＰＵ２５はこのＩ／Ｏ端子２３に、検出パルスを出力する（ＳＡ２）。この検出パルスは、ＰＣ２２側のＩ／Ｏポート２４及びＩ／Ｏ端子２３を介して、デジタルカメラ２１側のＩ／Ｏ端子２０及びＩ／Ｏポート１９からＣＰＵ１４に入力される。すると、デジタルカメラ２１のＣＰＵ１４は、この検出パルスに応答して、ＡＣＫ（デジタルカメラであること及びデジタルカメラの機種等を示す識別情報）を送信する（ＳＡ３）。この応答信号によりＰＣ２２のＣＰＵ２５は、デジタルカメラ２１が接続されたことを検出する。ＰＣ２２はこのＡＣＫ（識別情報）を受信して、接続されているものがデジタルカメラであることを認識して、ソフト送信要求を送信する（ＳＡ４）。このとき、既にＰＣ２２のハードディスク３０にインターフェースソフトがインストールされている場合には、インターフェースソフト以外のアルバムソフト等のソフト送信要求を行い、インターフェースソフトがインストールされていない場合には、インターフェースソフト及びアルバムソフト等の送信要求を行う。
【００２４】
すると、デジタルカメラ２１のＣＰＵ１４は、画像情報記憶領域１８ｂに記憶されている、要求されたソフトを読み出し（ＳＡ５）、この読み出したソフトをＰＣ２２に送信する（ＳＡ６）。この送信されたソフトは、デジタルカメラ２１側のＩ／Ｏポート１９及びＩ／Ｏ端子２０からＰＣ２２側のＩ／Ｏ端子２３及びＩ／Ｏポート２４を介して、ＰＣ２２側のＣＰＵ２５に着信し、該ＣＰＵ２５は、この着信したソフトをハードディスク３０にインストールする（ＳＡ７）。したがって、単にデジタルカメラ２１をＰＣ２２に接続させる極めて簡単な作業により煩わしさを伴うことなく、インターフェースソフト等をＰＣ２２にインストールすることができる。
【００２５】
そして、インストールを終了したならば、ＰＣ２２はインストール終了信号を出力し（ＳＡ８）、デジタルカメラ２１においてはこれを受信したＣＰＵ１４が、前述のＳＡ６で送信したソフトを画像情報記憶領域１８ｂから削除する（ＳＡ９）。したがって、インストールを終了した後は、インターフェースソフト等が記憶されていた領域を通常の画像データ記憶領域として用いることができ、また、画像情報記憶領域１８ｂにインターフェースソフト等を記憶させておいたことから、デジタルカメラ２１に別途ソフト格納用のメモリを設ける必要もない。
【００２６】
このようにしてインストールを終了した後、デジタルカメラ２１をＰＣ２２から切り離し、所望の被写体画像を記録するに際しては、録画モードが設定されている状態でＬＣＤ１２に表示される被写体映像を見ながら、キー入力部１３に設けられているキー映像取り込みキーを操作する。すると、ＣＰＵ１４はＴＧ４に映像取り込み信号を発生して、ＣＣＤ１からアンプ２Ａ／Ｄコンバータ３を介したデジタル映像信号を取り込み、ＤＲＡＭ１７に一旦記憶させる。さらにＣＰＵ１４は、この記憶させたデジタル映像信号に対して色演算処理をして、映像信号から輝度信号と色信号を作成する。この輝度信号と色信号とを、圧縮／伸張部６に転送することによりデータ圧縮させ、フラッシュメモリ１８の画像情報記憶領域１８ｂに記憶する。このとき、インストールが終了していれば、前述のように画像情報記憶領域１８ｂに記憶されていたインターフェースソフト等は削除されていることから、画像情報記憶領域１８ｂの全領域を画像データの記録エリアとして使用することができる。
【００２７】
また、映像信号再生時には、キー入力部１３の再生キーを操作すると、ＣＰＵ１４はフラッシュメモリ１８の画像情報記憶領域１８ｂから圧縮画像データ（圧縮輝度信号と色信号のデータ）を読み出して、圧縮／伸張部６に転送する。この圧縮／転送部６で伸張された輝度信号と色信号とをＳＧ７に転送することにより、ＳＧ７によりビデオ信号に変換され、予めフラッシュメモリ１８に記憶した映像信号に基づく画像がＬＣＤ１２に表示される。
【００２８】
また、画像情報記憶領域１８ｂに記憶した画像データをＰＣ２２に転送する際には、前記両Ｉ／Ｏ端子２０，２３を接続させる。このとき、ＰＣ２２には既にインターフェースソフト等がインストールされていることから、ＰＣ２２は図３に示したソフト送信要求（ＳＡ４）を行わず、インターフェースソフト等に基づき動作を開始する。したがって、デジタルカメラ２１のキー入力部１３にて転送キーを操作して、画像情報記憶領域１８ｂから画像データを読み出して転送すると、この転送された画像データがＰＣ２２側においてインターフェースソフトやアルバムソフトにより処理されることとなる。
【００２９】
なお、この実施の形態においては、前述のようにフラッシュメモリ１８の画像情報記憶領域１８ｂにインターフェースソフト等を記憶させておき、インストール後削除するにしたが、別途メモリを設けてこれに記憶させておいたり、インストール後も削除することなく保存しておくようにしてもよいし、画像データを上書きするようにしてもよい。
【００３０】
さらに、この実施の形態においては、接続の検出パルスをＰＣ側から出力して、ＰＣ側で検出するようにしたが、デジタルカメラ側で検出パルスを出力して接続を検出するようにしてもよい。すなわち、図４のＳＡ１〜ＳＡ４までの処理が逆となり、デジタルカメラの電源を入力した時にＩ／Ｏ端子２０に検出パルスを出力し（ＳＡ２の逆方向）、この検出パルスを受けて、ＰＣ側はＡＣＫ（ＰＣであること及びＰＣのＯＳのバージョン等を示す識別情報）をデジタルカメラ側に送信する（ＳＡ３の逆方向）。この応答信号によりデジタルカメラのＣＰＵは、ＰＣが接続されたことを認識する。これを受けてデジタルカメラ側は、ソフトインストール要求を送信して（ＳＡ４の逆方向であり、ソフト送信要求をソフトインストール要求と変更する）、これに続き上記識別情報に対応したソフトを読み出し（ＳＡ５）、ソフトを送信する（ＳＡ６）。ＰＣは、このソフトインストール要求に基づいて送られてきたソフトをインストールする（ＳＡ７）。
【００３１】
図５及び図６は、本発明の他の実施の形態を示すものであり、前記ＰＣ２２のＲＯＭ２９には、図５に示すソフト記憶領域２９ａが設けられている。このソフト記憶領域２９ａには、デジタルカメラの機種を示す複数の識別番号と、この複数の識別番号に各々対応するインターフェースソフト等とが記憶されており、各インターフェースソフトは、対応する識別番号が示すデジタルカメラ用である。
【００３２】
かかる構成において、図６に示すように、デジタルカメラ２１のＩ／Ｏ端子２０をＰＣ２２のＩ／Ｏ端子２３に接続して（ＳＢ１）、電源を入力するとデジタルカメラ２１のＣＰＵ１４はＩ／Ｏ端子２０に検出パルスを出力する（ＳＢ２）。すると、ＰＣ２２のＣＰＵ２５は、この検出パルスに応答して、識別情報送信要求を送信する（ＳＢ３）。この応答信号によりデジタルカメラ２１のＣＰＵ１４は、ＰＣ２２が接続されたことを認識する。デジタルカメラ２１はこの識別情報送信要求に応答して、予めＲＯＭ１５に記憶されている自己の機種を示す識別情報を送信する（ＳＢ４）。すると、ＰＣ２２のＣＰＵ２５は、ソフト記憶領域２９ａにおいて、受信した識別情報に対応するインターフェースソフトを検索し（ＳＢ５）、この検索したインターフェースソフトをハードディスク３０にインストールする（ＳＢ６）。したがって、単にデジタルカメラ２１をＰＣ２２に接続させる極めて簡単な作業により煩わしさを伴うことなく、接続したデジタルカメラ２１に対応する適正なインターフェースソフトをインストールすることができる。
【００３３】
そして、インストールを終了したならば、ＰＣ２２はインストール終了信号を出力し（ＳＢ７）、デジタルカメラ２１においては、このインストール終了信号に基づき、例えばＬＣＤ１２にインストール終了表示を行って、インストールが終了したことをユーザに示す。これにより、ユーザはインストールが完了したことを確認することができる。
【００３４】
なお、実施の形態においてはデジタルカメラ２１とＰＣ２２とに本発明を適用した場合を示したが、これらに限らず他の情報処理装置にも適用し得ることは勿論である。
【図面の簡単な説明】
【００３５】
【図１】本発明の一実施の形態を適用したデジタルカメラを示すブロック構成図である。
【図２】同デジタルカメラのフラッシュメモリのメモリ構成図である。
【図３】本発明の一実施の形態を適用したＰＣを示すブロック構成図である。
【図４】本発明の一実施の形態におけるＰＣとデジタルカメラの交信及び動作を示す図である。
【図５】本発明の他の実施の形態におけるＰＣのＲＯＭの一部の記憶状態を示す図である。
【図６】同実施の形態におけるＰＣとデジタルカメラの交信及び動作を示す図である。
【符号の説明】
【００３６】
１４  ＣＰＵ
１８  フラッシュメモリ
２１  デジタルカメラ
２２  ＰＣ
２９ａ  ソフト記憶領域
【図１】
2005339575.tif 000003
【図２】
2005339575.tif 000004
【図３】
2005339575.tif 000005
【図４】
2005339575.tif 000006
【図５】
2005339575.tif 000007
【図６】
2005339575.tif 000008
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
情報処理装置との情報転送のためのインターフェースソフトを少なくとも記憶したインターフェースソフト記憶手段と、
前記情報処理装置との接続を検出する検出手段と、
この検出手段により接続したことが検出されると、前記インターフェースソフト記憶手段に記憶されているインターフェースソフトを前記情報処理装置に送信する送信手段と、
被写体画像を取り込む撮像手段とを有することを特徴とする撮像装置。
【請求項２】
情報処理装置との情報転送のためのインターフェースソフトを少なくとも記憶するインターフェースソフト記憶手段と、
前記情報処理装置からのソフト送信要求を受信する受信手段と、
この受信手段によりソフト送信要求を受信すると、前記インターフェースソフト記憶手段に記憶されているインターフェースソフトを前記情報処理装置に送信する送信手段と、
被写体画像を取り込む撮像手段とを有することを特徴とする撮像装置。
【請求項３】
前記情報処理装置に前記インターフェースソフトが、既にインストールされているか否かの判断を行うインストール判断手段と、
前記インストール判断手段の判断に応じて、前記インターフェースソフト記憶手段に記憶されているインターフェースソフトを前記情報処理装置に送信する前記送信手段とを有することを特徴とする請求項１又は２記載の撮像装置。
【請求項４】
前記撮像手段により取り込まれた画像を記憶するデジタル記憶媒体を更に有し、前記インターフェースソフト記憶手段は、前記デジタル記憶媒体に記憶された画像を前記情報処理装置に転送するためのインターフェースソフトを記憶している
ことを特徴とする請求項１又は２記載の撮像装置。
【請求項５】
前記インターフェースソフト記憶手段は、前記デジタル記憶媒体と共用されることを特徴とする請求項４記載の撮像装置。
【請求項６】
前記送信手段により、前記インターフェースソフトが送信された後に、前記デジタル記憶媒体に前記画像を上書きすることを特徴とする請求項４記載の撮像装置。
【請求項７】
前記送信手段は、前記インターフェースソフトを送信する前に当該情報処理装置の識別情報を受信する識別情報受信手段を有し、この識別情報受信手段により受信した情報処理装置の識別情報に対応したインターフェースソフトを送信することを特徴とする請求項１記載の撮像装置。
【請求項８】
前記送信手段は、前記インターフェースソフトを送信する前に当該撮像装置の識別情報を送信する識別情報送信手段を有し、この識別情報の送信に応答して前記情報処理装置から送られてきたソフト送信要求に基づいて、前記インターフェースソフトを送信することを特徴とする請求項２記載の撮像装置。
【請求項９】
被写体画像を取り込む撮像手段とを有する撮像装置において、
情報処理装置との情報転送のためのインターフェースソフトと前記情報処理装置上で動作するアプリケーションソフトを記憶する記憶手段と、
前記情報処理装置からのソフト送信要求を受信する受信手段と、
前記情報処理装置に前記インターフェースソフトが、既にインストールされているか否かの判断を行うインストール判断手段と、
前記受信手段によりソフト送信要求を受信すると、前記インストール判断手段の判断に応じて、前記記憶手段に記憶されているインターフェースソフト若しくはアプリケーションソフトを前記情報処理装置に送信する送信手段とを有することを特徴とする撮像装置。
【請求項１０】
前記インストール判断手段は、インストールが終了した後、前記情報処理装置がインストールを行った前記記憶手段に記憶されているインターフェースソフト若しくはアプリケーションソフトを前記記憶手段より削除することを特徴とする請求項９記載の撮像装置。
【請求項１１】
撮像装置が接続される情報処理装置において、前記撮像装置の識別情報に各々対応する複数のインターフェースソフトを記憶したインターフェースソフト記憶手段と、接続された前記撮像装置の送信手段から送られてきた識別情報を受信する受信手段と、この受信手段により受信した識別情報に対応するインターフェースソフトを前記インターフェースソフト記憶手段から検索してインストールするインストール手段とを有することを特徴とする情報処理装置。
【手続補正３】
【補正対象書類名】明細書
【補正対象項目名】０００５
【補正方法】変更
【補正の内容】
【０００５】
前記課題を解決するために請求項１記載の撮像装置にあっては、情報処理装置との情報転送のためのインターフェースソフトを少なくとも記憶したインターフェースソフト記憶手段と、前記情報処理装置との接続を検出する検出手段と、この検出手段により接続したことが検出されると、前記インターフェースソフト記憶手段に記憶されているインターフェースソフトを前記情報処理装置に送信する送信手段とを有している。したがって、この撮像装置を情報処理装置に接続し、この接続が検出手段により検出されると、送信手段によりインターフェースソフトが当該撮像装置から、接続された情報処理装置に送信される。したがって、当該撮像装置から情報処理装置に情報を転送する際、該情報処理装置にインターフェースソフトが記憶されているフロッピー（登録商標）等をセットする等の作業を行う必要がない。
【手続補正４】
【補正対象書類名】明細書
【補正対象項目名】０００６
【補正方法】変更
【補正の内容】
【０００６】
また、請求項２記載の撮像装置にあっては、情報処理装置との情報転送のためのインターフェースソフトを少なくとも記憶するインターフェースソフト記憶手段と、前記情報処理装置からのソフト送信要求を受信する受信手段と、この受信手段によりソフト送信要求を受信すると、前記インターフェースソフト記憶手段に記憶されているインターフェースソフトを前記情報処理装置に送信する送信手段とを有している。したがって、この撮像装置が受信手段により、情報処理装置からのソフト送信要求を受信すると、送信手段によりインターフェースソフトが当該撮像装置から、情報処理装置に送信される。したがって、当該撮像装置から情報処理装置に情報を転送する際、該情報処理装置にインターフェースソフトが記憶されているフロッピー（登録商標）等をセットする等の作業を行う必要がない。
【手続補正５】
【補正対象書類名】明細書
【補正対象項目名】０００７
【補正方法】変更
【補正の内容】
【０００７】
また、請求項３記載の撮像装置にあっては、前記情報処理装置に前記インターフェースソフトが、既にインストールされているか否かの判断を行うインストール判断手段と、
前記インストール判断手段の判断に応じて、前記インターフェースソフト記憶手段に記憶されているインターフェースソフトを前記情報処理装置に送信する前記送信手段とを有している。したがって、この撮像装置は、他の情報装置にインターフェースソフトがインストールされているか否かの判断を行い、インストールがされていればインターフェースソフトの送信を行う必要がない。
【手続補正６】
【補正対象書類名】明細書
【補正対象項目名】０００８
【補正方法】変更
【補正の内容】
【０００８】
また、請求項４記載の撮像装置にあっては、前記撮像手段により取り込まれた画像を記憶するデジタル記憶媒体を更に有し、前記インターフェースソフト記憶手段は、前記デジタル記憶媒体に記憶された画像を前記情報処理装置に転送するためのインターフェースソフトを記憶している。つまり、この撮像装置は、撮像手段とこの撮像手段により取り込まれた画像を記憶するデジタル記憶媒体とを有するデジタルカメラであり、このデジタルカメラが、パソコン等の情報処理装置に接続されると、送信手段により、画像を前記情報処理装置に転送するためのインターフェースソフトがデジタルカメラから、接続された情報処理装置に送信される。
【手続補正７】
【補正対象書類名】明細書
【補正対象項目名】０００９
【補正方法】変更
【補正の内容】
【０００９】
また、請求項５記載の撮像装置にあっては、前記インターフェースソフト記憶手段は、前記デジタル記憶媒体と共用される。したがって、デジタルカメラにおいて、インターフェースソフトを記憶するための手段を別途設ける必要はない。
【手続補正８】
【補正対象書類名】明細書
【補正対象項目名】００１０
【補正方法】変更
【補正の内容】
【００１０】
また、請求項６記載の撮像装置にあっては、前記送信手段により、前記インターフェースソフトが送信された後に、前記デジタル記憶媒体に前記画像を上書きする。したがって、インターフェースソフトを接続された他の情報記憶媒体に送信した後は、デジタル記憶媒体の該インターフェースソフトが記憶されていた領域が、撮像手段により取り込まれた画像を記憶するための領域として有効利用される。
【手続補正９】
【補正対象書類名】明細書
【補正対象項目名】００１１
【補正方法】変更
【補正の内容】
【００１１】
また、請求項７記載の撮像装置にあっては、前記送信手段は、前記インターフェースソフトを送信する前に当該情報処理装置の識別情報を受信する識別情報受信手段を有し、この識別情報受信手段により受信した情報処理装置の識別情報に対応したインターフェースソフトを送信する。したがって、他の情報処理装置の種別に応じたインターフェースソフトが、撮像装置から他の情報処理装置に送信される。
【手続補正１０】
【補正対象書類名】明細書
【補正対象項目名】００１２
【補正方法】変更
【補正の内容】
【００１２】
また、請求項８記載の撮像装置にあっては、前記送信手段は、前記インターフェースソフトを送信する前に当該撮像装置の識別情報を送信する識別情報送信手段を有し、この識別情報の送信に応答して前記情報処理装置から送られてきたソフト送信要求に基づいて、前記インターフェースソフトを送信する。したがって、相互に接続される装置の種別に応じたインターフェースソフトが、撮像装置から他の情報処理装置に送信される。
【手続補正１１】
【補正対象書類名】明細書
【補正対象項目名】００１３
【補正方法】変更
【補正の内容】
【００１３】
また、請求項９記載の発明にあっては、被写体画像を取り込む撮像手段とを有する撮像装置において、情報処理装置との情報転送のためのインターフェースソフトと前記情報処理装置上で動作するアプリケーションソフトを記憶する記憶手段と、前記情報処理装置からのソフト送信要求を受信する受信手段と、前記情報処理装置に前記インターフェースソフトが、既にインストールされているか否かの判断を行うインストール判断手段と、前記受信手段によりソフト送信要求を受信すると、前記インストール判断手段の判断に応じて、前記記憶手段に記憶されているインターフェースソフト若しくはアプリケーションソフトを前記情報処理装置に送信する送信手段とを有する。したがって、この撮像装置が受信手段により、情報処理装置からのソフト送信要求を受信すると、情報処理装置にインターフェースソフトがインストールされていない場合、送信手段によりインターフェースソフトが当該撮像装置から、情報処理装置に送信される。
【手続補正１２】
【補正対象書類名】明細書
【補正対象項目名】００１４
【補正方法】変更
【補正の内容】
【００１４】
また、請求項１０記載の撮像装置にあっては、前記インストール判断手段は、インストールが終了した後、前記情報処理装置がインストールを行った前記記憶手段に記憶されているインターフェースソフト若しくはアプリケーションソフトを前記記憶手段より削除する。したがって、情報処理装置にインターフェースソフト若しくはアプリケーションソフトを送信した場合、該撮像装置の記憶手段より当該ソフトが削除される。
【手続補正１３】
【補正対象書類名】明細書
【補正対象項目名】００１５
【補正方法】変更
【補正の内容】
【００１５】
また、請求項１１記載の発明にあっては、撮像装置が接続される情報処理装置において、前記撮像装置の識別情報に各々対応する複数のインターフェースソフトを記憶したインターフェースソフト記憶手段と、接続された前記撮像装置の送信手段から送られてきた識別情報を受信する受信手段と、この受信手段により受信した識別情報に対応するインターフェースソフトを前記インターフェースソフト記憶手段から検索してインストールするインストール手段とを有する。したがって、撮像装置が接続され、撮像装置の送信手段から識別情報が送られてくると、この識別情報を受信手段が受信する。すると、インストール手段は、インターフェースソフト記憶手段から識別情報に対応するインターフェースソフトを検索してインストールする。したがって、接続された撮像装置の種別に応じて適切なインターフェースソフトがインストールされる。